(57)【特許請求の範囲】
【請求項１】
集塵機へ無線信号を送信するための無線送信部と、
前記無線送信部を介して前記集塵機へ連動信号を送信することで、前記集塵機を連動運転させるための送信制御部と、
を備え、
前記送信制御部は、
操作部の操作によって、動作モードが、前記集塵機を連動運転させる通常モードから、自工具を連動対象機器として前記集塵機に登録させるペアリングモードに切り替わり、
前記ペアリングモードでは、前記無線送信部を介して前記集塵機にペアリング要求信号を送信することで、自工具を前記連動対象機器として前記集塵機に登録させるように構成され、
更に、前記無線送信部から前記連動信号が送信されるのを禁止する送信禁止指令を入力するための送信禁止スイッチを備え、
前記送信制御部は、前記送信禁止スイッチから前記送信禁止指令が入力されると、前記無線送信部からの前記連動信号の送信を禁止するよう構成されている、電動工具。
【請求項２】
前記操作部として、前記ペアリングモードへの切替要求を入力するためのペアリング要求スイッチを備えた、請求項１に記載の電動工具。
【請求項３】
前記無線送信部は、周波数が異なる複数の通信チャンネルの中から１つの通信チャンネルを選択して、前記無線信号を送信するように構成されている、請求項１又は請求項２に記載の電動工具。
【請求項４】
前記送信制御部は、前記ペアリング要求信号の送信に用いる通信チャンネルを、前記複数の通信チャンネルの中から順次切り替えて、前記ペアリング要求信号を送信するよう構成されている、請求項３に記載の電動工具。
【請求項５】
前記送信制御部は、前記複数の通信チャンネルの内、前記ペアリング要求信号の送信用として予め設定された予約済チャンネルを利用して、前記ペアリング要求信号を送信するよう構成されている、請求項３に記載の電動工具。
【請求項６】
前記送信制御部は、前記無線送信部を介して前記ペアリング要求信号を前記集塵機に送信することで、前記集塵機側の動作モードをペアリングモードに切り替え、その後、前記無線送信部を介して、前記複数の通信チャンネルの１つである固有チャンネルを利用して、前記集塵機にペアリング設定信号を送信することで、自工具を前記連動対象機器として前記集塵機に登録させるよう構成されている、請求項３〜請求項５の何れか１項に記載の電動工具。
【請求項７】
前記送信制御部は、外部から入力されるチャンネル変更指令に従い前記固有チャンネルを変更するよう構成されている、請求項６に記載の電動工具。
【請求項８】
外部操作によって前記チャンネル変更指令を入力するための操作部を備えた、請求項７に記載の電動工具。
【請求項９】
請求項２を引用する請求項８に記載の電動工具であって、
前記チャンネル変更指令を入力するための操作部は、前記ペアリング要求スイッチであり、
前記送信制御部は、前記ペアリング要求スイッチの操作時間若しくは操作回数に基づき、前記ペアリングモードへの切替要求及び前記チャンネル変更指令を識別するよう構成されている、電動工具。
【請求項１０】
前記送信制御部は、前記操作部の操作によって動作モードが前記ペアリングモードに切り替えられた後、予め設定された規定時間が経過すると、前記ペアリングモードを解除するよう構成されている、請求項１〜請求項９の何れか１項に記載の電動工具。
【請求項１１】
前記送信制御部は、前記ペアリングモードであるとき、前記無線送信部からの送信出力を、前記通常モードであるときよりも低下させるよう構成されている、請求項１〜請求項１０の何れか１項に記載の電動工具。
【請求項１２】
集塵用のモータと、
電動工具から送信された無線信号を受信するための無線受信部と、
前記無線受信部にて受信された連動信号に従い前記モータを駆動する受信制御部と、
を備え、
前記受信制御部は、
前記無線受信部にてペアリング要求信号が受信されると、動作モードが、前記連動信号に従い前記モータを駆動する通常モードから、ペアリングモードに切り替わり、
前記ペアリングモードでは、前記ペアリング要求信号を送信してきた電動工具を、前記モータを駆動するための前記連動信号を送信してくる連動対象機器として登録するように構成され、
更に、前記受信制御部の動作モードが前記ペアリングモードに切り替えられるのを禁止するペアリング禁止指令を入力するためのペアリング禁止スイッチを備え、
前記受信制御部は、前記ペアリング禁止スイッチから前記ペアリング禁止指令が入力されると、前記無線受信部にて前記ペアリング要求信号が受信されることにより、動作モードが前記通常モードから前記ペアリングモードに切り替えられるのを禁止するよう構成されている、集塵機。
【請求項１３】
前記無線受信部は、周波数が異なる複数の通信チャンネルの中から１つの通信チャンネルを選択して、前記無線信号を受信するように構成されている、請求項１２に記載の集塵機。
【請求項１４】
前記受信制御部は、前記無線受信部が受信する前記無線信号の通信チャンネルを、予め設定された特定チャンネルに設定することで、前記ペアリング要求信号を受信させるように構成されている、請求項１３に記載の集塵機。
【請求項１５】
前記受信制御部は、前記無線受信部にて前記ペアリング要求信号が受信されて、動作モードが前記通常モードから前記ペアリングモードに切り替えられると、前記無線受信部が受信する前記無線信号の通信チャンネルを、前記複数の通信チャンネルの中から順次切り替えることで、前記電動工具から送信されてくるペアリング設定信号を受信し、該ペアリング設定信号を受信した通信チャンネルを、前記連動対象機器が前記連動信号を送信してくる固有チャンネルであるとして登録するよう構成されている、請求項１３又は請求項１４に記載の集塵機。
【請求項１６】
前記受信制御部は、前記固有チャンネルが既に登録されているとき、動作モードが前記通常モードから前記ペアリングモードに切り換えられて、前記固有チャンネルとは異なる通信チャンネルのペアリング設定信号を受信すると、該受信したペアリング設定信号の通信チャンネルを新たな固有チャンネルであるとして、前記固有チャンネルの登録内容を更新するよう構成されている、請求項１５に記載の集塵機。
【請求項１７】
前記受信制御部は、動作モードが前記ペアリングモードに切り替えられた後、予め設定された規定時間が経過すると、前記ペアリングモードを解除するよう構成されている、請求項１２〜請求項１６の何れか１項に記載の集塵機。
【請求項１８】
前記受信制御部は、前記ペアリングモードであるとき、前記無線受信部の受信感度を、前記通常モードであるときよりも低下させるよう構成されている、請求項１２〜請求項１７の何れか１項に記載の集塵機。
【請求項１９】
前記受信制御部は、前記ペアリングモードで前記連動対象機器を登録するか、又は、該登録に失敗すると、その旨を報知するよう構成されている、請求項１２〜請求項１８の何れか１項に記載の集塵機。
【発明の詳細な説明】
【技術分野】
【０００１】
本発明は、集塵機を連動運転可能な電動工具、及び、集塵機に関する。
【背景技術】
【０００２】
従来、被加工材の切削、切断、孔空け等を行うための電動工具として、使用時に発生する粉塵や切削屑を吸引するために、集塵機を連動して動作させるように構成されたものが知られている。
【０００３】
また、例えば、電動工具が、充電可能なバッテリを備えた充電式工具である場合、集塵機を連動運転させるための連動信号を有線にて伝送させるようにすると、電動工具を自由に移動させることができなくなる。
【０００４】
このため、電動工具と集塵機とで構成される連動運転システムにおいては、電動工具と集塵機とにそれぞれ無線通信用の通信装置を設け、電動工具から集塵機には、その通信装置を介して、連動信号を無線送信することも提案されている。（例えば、特許文献１参照）。
【０００５】
また、この種の連動運転システムにおいて、集塵機の周囲に複数の電動工具が存在するときには、集塵機側の通信装置は、その複数の電動工具の通信装置からの送信電波を受信できるようになる。
【０００６】
このため、特許文献１では、集塵機に、連動運転すべき電動工具の識別情報を登録しておき、通信装置が受信した連動信号にその識別情報が含まれている場合にだけ、集塵機が、その連動信号に応じて動作するよう構成することも提案されている。
【先行技術文献】
【特許文献】
【０００７】
【特許文献１】欧州特許出願公開第２６２８４２７号（ＥＰ２６２８４２７Ａ２）
【発明の概要】
【発明が解決しようとする課題】
【０００８】
ところで、上記提案の連動運転システムにおいては、集塵機に電動工具の識別情報を登録する際に、集塵機に設けられた登録用のスイッチ（電気接点）を押すようになっている。
【０００９】
そして、集塵機は、そのスイッチが押された後、電動工具から送信されてくる連動信号を受信すると、その連動信号に含まれる識別情報を、連動運転すべき電動工具の識別情報として登録する。
【００１０】
このため、上記提案の連動運転システムにおいて、集塵機は、周囲に複数の電動工具が存在したとしても、その特定の電動工具からの連動信号だけで動作することになり、集塵機が、対応しない電動工具からの連動信号によって誤動作するのを防止できる。
【００１１】
しかし、集塵機に電動工具の識別情報を登録する際には、集塵機に設けられたスイッチを操作しなければならないことから、連動運転システムの使い勝手が悪いという問題がある。
【００１２】
つまり、例えば、電動工具を使用する場所が集塵機から離れている場合、電動工具の使用者は、集塵機に電動工具を登録するために、集塵機の設置場所まで移動して、識別情報登録用のスイッチを操作する必要があり、その登録作業が面倒である、という問題がある。
【００１３】
本発明は、集塵機が電動工具に連動して運転されるシステムにおいて、集塵機に連動運転の対象となる電動工具を登録する際、集塵機を操作することなく、電動工具の操作だけで簡単に登録できるようにすることを目的とする。
【課題を解決するための手段】
【００１４】
上記目的を達成するためになされた本発明の電動工具は、集塵機へ無線信号を送信するための無線送信部と、無線送信部を介して集塵機へ連動信号を送信することにより、集塵機を自工具の動作に連動して運転させる送信制御部と、を備える。
【００１５】
送信制御部は、自工具に設けられた操作部の操作によって、動作モードが、集塵機を連動運転させる通常モードから、自工具を連動対象機器として集塵機に登録させるペアリングモードに切り替わる。
【００１６】
そして、送信制御部は、動作モードがペアリングモードに切り替わると、無線送信部を介して集塵機にペアリング要求信号を送信し、自工具を連動対象機器として集塵機に登録させる。
【００１７】
一方、本発明の集塵機は、集塵用のモータと、電動工具から送信された無線信号を受信するための無線受信部と、無線受信部にて受信された連動信号に従いモータを駆動する受信制御部と、を備える。
【００１８】
受信制御部は、無線受信部にてペアリング要求信号が受信されると、動作モードが、連動信号に従いモータを駆動する通常モードから、ペアリングモードに切り替わる。
そして、受信制御部は、動作モードがペアリングモードに切り替わると、ペアリング要求信号を送信してきた電動工具を、モータを駆動するための連動信号を送信してくる連動対象機器として登録する。
【００１９】
このため、本発明の電動工具及び集塵機によれば、集塵機に連動対象機器となる電動工具を登録して、連動運転システムを構築する際には、電動工具の操作部を操作するだけでよく、集塵機に設けられたスイッチを操作する必要がない。
【００２０】
従って、電動工具の使用者は、連動運転システムを構築するために、集塵機まで移動する必要がなく、極めて簡単に、電動工具の登録作業を行うことができる。
ここで、本発明の電動工具において、ペアリングモードへの切替要求を入力するための操作部としては、例えば、電動工具起動用のトリガスイッチ等、電動工具に設けられた各種スイッチを利用してもよい。
【００２１】
なお、この場合、切換要求入力用の操作時間や連続操作回数等を予め設定しておくことで、送信制御部が、他の操作入力と切替要求入力とを識別できるようにすればよい。
また、この操作部としては、電動工具に、ペアリングモードへの切替要求を入力するためのペアリング要求スイッチを設けるようにしてもよい。
【００２２】
次に、電動工具の無線送信部は、周波数が異なる複数の通信チャンネルの中から１つの通信チャンネルを選択して、無線信号を送信するように構成されていてもよい。
このようにすれば、本発明の電動工具が複数隣接している場合に、各電動工具の無線送信部から送信される無線信号が、他の電動工具の無線送信部から送信される無線信号と同一チャンネルとなって、無線信号同士が衝突する確率を低減することができる。
【００２３】
これに対応して、集塵機側の無線受信部は、周波数が異なる複数の通信チャンネルの中から１つの通信チャンネルを選択して、無線信号を受信するように構成されていてもよい。
【００２４】
このようにすれば、集塵機側では、無線受信部が無線信号を受信する通信チャンネルを、連動対象機器となる電動工具が連動信号を送信するのに用いる通信チャンネルと同一チャンネルに設定することにより、連動対象機器を登録できるようになる。
【００２５】
また、この場合、集塵機において、特定の電動工具を連動対象機器として登録する際に、電動工具の識別情報を登録する必要がなく、また、その登録や識別のために、電動工具からの送信信号に、工具自身の識別情報を含める必要がない。
【００２６】
従って、電動工具の無線送信部及び集塵機の無線受信部を上記のように構成すれば、集塵機への電動工具の登録動作、電動工具からの無線信号の送信動作、及び、集塵機での受信信号の識別動作を、より簡単に行うことができるようになる。
【００２７】
なお、この場合、電動工具の無線送信部側で選択可能な複数の通信チャンネルと、集塵機の無線受信部側で選択可能な複数の通信チャンネルとは、チャンネル数も各チャンネルの周波数も同一にされているとよい。
【００２８】
次に、電動工具の無線送信部が複数の通信チャンネルの１つを選択して無線信号を送信するように構成されている場合、送信制御部は、無線送信部の通信チャンネルを複数の通信チャンネルの中から順次切り替えてペアリング要求信号を送信するように構成されていてもよい。
【００２９】
また、送信制御部は、複数の通信チャンネルの内、ペアリング要求信号送信用として予め設定された予約済チャンネルを利用して、ペアリング要求信号を送信するように構成されていてもよい。
【００３０】
そして、この場合、集塵機の受信制御部は、無線受信部が受信する無線信号の通信チャンネルを、予め設定された特定チャンネルに設定することで、ペアリング要求信号を受信させるように構成すればよい。
【００３１】
つまり、受信制御部が、無線受信部の通信チャンネルを、予め設定されている特定チャンネルに設定するようにすれば、電動工具から通信チャンネルを切り替えて送信されてくるペアリング要求信号の中の一つ（つまり、特定チャンネルのペアリング要求信号）を取得できるようになる。
【００３２】
また、受信制御部が、特定チャンネルとして、ペアリング要求信号受信用に設定されている予約済チャンネルを設定するようにすれば、電動工具から予約済チャンネルにて送信されてくるペアリング要求信号を取得できるようになる。
【００３３】
次に、本発明の電動工具において、送信制御部は、無線送信部を介してペアリング要求信号を前記集塵機に送信することで、集塵機側の動作モードをペアリングモードに切り替え、その後、無線送信部を介して、複数の通信チャンネルの１つである固有チャンネルを利用して、集塵機にペアリング設定信号を送信することで、自工具を連動対象機器として集塵機に登録させるよう構成されていてもよい。
【００３４】
また、電動工具をこのように構成した場合、集塵機の受信制御部は、無線受信部にてペアリング要求信号が受信されて、動作モードが通常モードからペアリングモードに切り替えられると、無線受信部が受信する無線信号の通信チャンネルを、複数の通信チャンネルの中から順次切り替えることで、電動工具から送信されてくるペアリング設定信号を受信し、そのペアリング設定信号を受信した通信チャンネルを、連動対象機器が連動信号を送信してくる固有チャンネル（換言すれば連動信号受信用の受信チャンネル）として登録するよう構成されているとよい。
【００３５】
つまり、電動工具及び集塵機をこのように構成すれば、電動工具が、連動信号送信用に設定されている固有チャンネルにてペアリング設定信号を送信するだけで、集塵機側で、その固有チャンネルを連動信号受信用の通信チャンネルとして設定できるようになる。
【００３６】
よって、この場合、電動工具と集塵機とのペアリングのために、識別情報を使用したり、双方向通信を行う必要がなく、極めて簡単な通信動作で電動工具と集塵機とをペアリングすることができる。
【００３７】
次に、電動工具の送信制御部は、外部から入力されるチャンネル変更指令に従い、固有チャンネルを変更するよう構成されていてもよい。
このようにすれば、電動工具の使用者は、電動工具においてペアリング設定信号や連動信号を送信するのに用いられる通信チャンネル（固有チャンネル）を、変更できるようになる。
【００３８】
このため、例えば、２つの電動工具の通信チャンネルが重複していて、一つの集塵機が２つの電動工具からの連動信号により動作するような場合に、一方の電動工具の通信チャンネルを変更して、集塵機がその電動工具に連動して動作するのを防止することができる。
【００３９】
また、このように電動工具の通信チャンネルを変更した場合、その電動工具に連動させる集塵機においても、連動信号受信用として既に設定されている通信チャンネル（固有チャンネル）を変更できるようにする必要がある。
【００４０】
そして、このためには、集塵機の受信制御部を、固有チャンネルが既に登録されているとき、動作モードが通常モードからペアリングモードに切り換えられて、固有チャンネルとは異なる通信チャンネルのペアリング設定信号を受信すると、その受信したペアリング設定信号の通信チャンネルを新たな固有チャンネルであるとして、固有チャンネルの登録内容を更新するように構成するとよい。
【００４１】
また、電動工具において、通信チャンネル（固有チャンネル）を変更するためのチャンネル変更指令は、変更後の通信チャンネルを指定可能な通信チャンネル設定用の装置から入力するようにしてもよい。
【００４２】
しかし、電動工具の通信チャンネルが他の電動工具と重複しないようにするには、通信チャンネルを単に変更するだけでよく、変更後の通信チャンネルを指定できなくても問題はない。
【００４３】
このため、チャンネル変更指令は、電動工具に設けられた操作部から、外部操作によって入力できるようにしてもよい。そして、この操作部としては、上述したペアリング要求スイッチを利用することができる。
【００４４】
つまり、この場合、送信制御部を、ペアリング要求スイッチの操作時間若しくは操作回数に基づき、ペアリングモードへの切替要求及びチャンネル変更指令を識別するように構成すれば、ペアリング要求スイッチを利用してチャンネル変更指令を入力することができるようになる。
【００４５】
次に、電動工具において、送信制御部は、操作部の操作によって動作モードがペアリングモードに切り替えられた後、予め設定された規定時間が経過すると、ペアリングモードを解除するよう構成されていてもよい。
【００４６】
このようにすれば、送信制御部の動作モードがペアリングモードである場合に、その動作モードをペアリングモードから通常モードに復帰させるために、使用者が操作部を操作する必要がないので、電動工具（延いては連動運転システム）の使い勝手を向上できる。
【００４７】
また同様に、集塵機において、受信制御部は、動作モードがペアリングモードに切り替えられた後、予め設定された規定時間が経過すると、ペアリングモードを解除するよう構成されていてもよい。
【００４８】
このようにすれば、受信制御部の動作モードがペアリングモードに切り替えられてから、通信不良等によって、ペアリング要求信号を送信してきた電動工具を連動対象機器として登録することができない場合に、通常モードへ復帰できなくなるのを防止できる。
【００４９】
また次に、電動工具には、無線送信部から連動信号が送信されるのを禁止する送信禁止指令を入力するめの送信禁止スイッチを設け、送信制御部は、送信禁止スイッチから送信禁止指令が入力されると、無線送信部からの連動信号の送信を禁止するよう構成してもよい。
【００５０】
このようにすれば、例えば、電動工具を集塵機から離れた位置に持っていって使用する場合等、集塵機を連動運転させる必要がないときに、使用者は、集塵機への連動信号の送信を禁止して、電動工具を単独で使用することができるようになる。
【００５１】
また、集塵機には、受信制御部の動作モードがペアリングモードに切り替えられるのを禁止するペアリング禁止指令を入力ためのペアリング禁止スイッチを設け、受信制御部は、ペアリング禁止スイッチからペアリング禁止指令が入力されると、無線受信部にてペアリング要求信号が受信されることにより、動作モードが通常モードからペアリングモードに切り替えられるのを禁止するよう構成してもよい。
【００５２】
このようにすれば、集塵機が、対応する電動工具とペアリングされていて、連動運転すべき電動工具を登録する必要がないときに、使用者は、ペアリング禁止スイッチを操作することで、受信制御部がペアリングモードに入るのを禁止することができる。
【００５３】
従って、この場合、連動対象機器ではない他の電動工具から送信されたペアリング要求信号により、集塵機の受信制御部がペアリングモードに入り、他の電動工具が連動対象機器として誤登録されるのを防止できる。
【００５４】
次に、電動工具の送信制御部は、ペアリングモードであるとき、無線送信部からの送信出力を、通常モードであるときよりも低下させるよう構成されていてもよい。
このようにすれば、送信制御部がペアリングモードであるときに無線送信部を介して送信される、ペアリング要求信号や他の送信信号（例えば、上述のペアリング設定信号）の信号レベルが、連動信号の送信レベルよりも低くなる。
【００５５】
このため、電動工具は、通常の連動運転時よりも狭い領域内の集塵機に対し、ペアリングのための信号を送信して、その集塵機に、自工具を連動対象機器として登録させることができる。よって、この場合、電動工具が、連動させる必要のない集塵機に連動対象機器として誤登録される確率を低くすることができる。
【００５６】
なお、このように、電動工具が集塵機に誤登録されるのを抑制するには、必ずしも、電動工具からのペアリング要求信号等の送信レベルを低下させる必要はなく、集塵機の受信制御部が、ペアリングモードであるときの無線受信部の受信感度を、通常モードであるときよりも低下させるよう、構成されていてもよい。
【００５７】
また、ペアリングモードでは、電動工具からの無線信号の送信レベルと、集塵機での無線信号の受信感度とを、共に低下させるようにしてもよい。
また次に、集塵機において、受信制御部は、ペアリングモードで連動対象機器を登録するか、又は、その登録に失敗すると、その旨を報知するよう構成されていてもよい。
【００５８】
そして、このようにすれば、電動工具の使用者は、連動運転システムを構築するために電動工具の操作部を操作した後、所望の集塵機に電動工具が連動対象機器として登録されたこと、或いは、その登録に失敗したことを、確認することができるようになる。
【図面の簡単な説明】
【００５９】
【図１】第１実施形態の連動運転システムの構成を表すブロック図である。
【図２】図１の電動工具及び集塵機にてそれぞれ実行される連動信号送信処理及び連動制御処理を表すフローチャートである。
【図３】図１の電動工具及び集塵機にてそれぞれ実行されるペアリング処理を表すフローチャートである。
【図４】第２実施形態の連動運転システムの構成を表すブロック図である。
【図５】第２実施形態のペアリング処理及び固有チャンネル変更処理を表すフローチャートである。
【図６】参考例の集塵機の構成を表すブロック図である。
【図７】参考例のペアリング処理を表すフローチャートである。
【発明を実施するための形態】
【００６０】
以下に本発明の実施形態を図面と共に説明する。
［第１実施形態］
図１に示すように、本実施形態の連動運転システムは、電動工具１０と集塵機５０とで構成され、電動工具１０の使用時に集塵機５０を連動運転させて、電動工具１０の使用により発生する粉塵や切削屑を集塵機５０に自動で吸引させるためのものである。
【００６１】
電動工具１０は、例えば、グラインダ、丸のこ、ドライバドリル等、使用時に粉塵や切削屑を発生する工具であり、充電可能なバッテリを備えたバッテリパック１２から電力供給を受けて動作する。
【００６２】
なお、バッテリパック１２は、電動工具１０の本体に対し着脱可能であり、充電時には、電動工具１０から外し、充電器に装着することで、内部のバッテリを充電できるようになっている。
【００６３】
電動工具１０には、動力源となる工具モータ１４を駆動するための駆動部１６、使用者が外部操作によって駆動指令を入力するためのトリガスイッチ（以下、スイッチをＳＷと記載する）１８、及び、制御部２０が備えられている。
【００６４】
制御部２０は、トリガＳＷ１８がオン状態であるとき、駆動部１６を介して工具モータ１４を駆動すると共に、集塵機５０を連動運転させるためのものである。
このため、電動工具１０には、アンテナ３２を介して、集塵機５０を連動運転させるための指令を無線送信する無線送信部３０が設けられており、制御部２０は、この無線送信部３０から連動信号を無線送信させることで、集塵機５０を連動運転させる。
【００６５】
つまり、制御部２０は、無線送信部３０に対し、送信用データ若しくはコマンドをセットし、送信開始を指令することで、連動信号を含む各種指令信号（後述のペアリング要求信号、ペアリング設定信号等）を集塵機５０に無線送信させる。
【００６６】
無線送信部３０は、例えば、２．４ＧＨｚ帯の電波を使って連動信号等を無線送信するためのものであり、送信周波数切替部２４を介して、送信周波数を所定周波数単位（例えば１ＭＨｚ単位）で切り替え可能である。また、無線送信部３０は、送信出力切替部２６を介して、送信出力（電力）も切り替え可能である。
【００６７】
電動工具１０には、使用者により操作される操作部として、トリガＳＷ１８とは別に、集塵機５０に自工具を登録してペアリングさせるためのペアリング要求ＳＷ３４、及び、無線送信部３０からの連動信号の送信を禁止するための送信禁止ＳＷ３６が備えられている。
【００６８】
なお、トリガＳＷ１８及び送信禁止ＳＷ３６は、例えば、外部操作によってオン・オフ状態が切り替えられる切替スイッチであり、ペアリング要求ＳＷ３４は、例えば、使用者が操作（押下）しているときにだけオン状態となる押しボタンスイッチである。
【００６９】
制御部２０は、メモリ２２や入出力回路を備えたマイクロプロセッサ（ＭＰＵ）にて構成されており、トリガＳＷ１８がオン状態であるとき、無線送信部３０から連動信号を送信させる。
【００７０】
また制御部２０は、ペアリング要求ＳＷ３４が操作されると、トリガＳＷ１８の状態に応じて連動信号を送信させる通常モードから、自工具と特定の集塵機５０とをペアリングさせるペアリングモードへと、動作モードが変化する。
【００７１】
そして、このペアリングモードでは、制御部２０は、無線送信部３０からペアリング要求信号を送信させることで、集塵機５０の動作モードを、連動運転を行う通常モードからペアリングモードに移行させる。
【００７２】
また、ペアリング要求信号の送信後は、ペアリングモードに移行した集塵機５０に対し、自工具を連動対象機器として登録させるために、無線送信部３０からペアリング設定信号を送信させる。
【００７３】
なお、制御部２０のメモリ２２には、無線送信部３０から連動信号を送信させる際の送信周波数を表す送信チャンネル（固有チャンネル、以下、チャンネルをＣＨと記載する）が記憶されている。
【００７４】
また、無線送信部３０からの送信ＣＨは、例えば、ＣＨ１〜ＣＨ７８の何れかに設定できるようになっており、メモリ２２には、各送信ＣＨと送信周波数との関係を表す周波数ＣＨマップも記憶されている。
【００７５】
そして、制御部２０は、無線送信部３０から連動信号を送信させる際には、この周波数ＣＨマップから連動信号送信用の固有ＣＨに対応した送信周波数を読み出し、送信周波数切替部２４を介して、無線送信部３０からの送信周波数を切り替える。
【００７６】
次に、集塵機５０は、電動工具１０付近に先端が配置された集塵ホース（図示せず）を備え、集塵ホースを介して電動工具１０から排出された粉塵や切削屑を吸引するためのものであり、吸引用のファンを駆動する集塵モータ５２を備える。
【００７７】
また、集塵機５０には、例えば、商用電源から電力供給を受けて、集塵モータ５２を含む内部回路駆動用の電源電圧を生成する電源部５４、電動工具１０に連動して集塵モータ５２を駆動するための制御部６０、及び、無線受信部７０が備えられている。
【００７８】
無線受信部７０は、制御部６０からの指令に従い、電動工具１０の無線送信部３０から送信されてくる連動信号、ペアリング要求信号、ペアリング設定信号等の各種指令信号を、アンテナ７２を介して受信するためのものであり、２．４ＧＨｚ帯の無線信号を受信可能である。そして、無線受信部７０は、アンテナ７２を介して受信した受信データ若しくはコマンドを、制御部６０に入力する。
【００７９】
また、無線受信部７０は、電動工具１０の無線送信部３０と同様、受信周波数切替部６４を介して、受信周波数を所定周波数単位（例えば１ＭＨｚ単位）で切り替え可能である。また、無線受信部７０は、受信感度切替部６６を介して、受信感度を切り替えることもできる。
【００８０】
制御部６０は、電動工具１０の制御部２０と同様、メモリ６２や入出力回路を備えたマイクロプロセッサ（ＭＰＵ）にて構成されており、無線受信部７０にて連動信号が受信されると、集塵モータ５２を駆動することで、集塵機５０を電動工具１０と連動運転させる。
【００８１】
また、制御部６０は、その連動運転の対象となる連動対象機器として、特定の電動工具１０を登録できるようになっている。このため、メモリ６２には、その特定の電動工具１０からの連動信号を特定できるように、その電動工具１０が連動信号を送信してくる送信ＣＨ（上述した固有ＣＨ）が登録される。
【００８２】
なお、無線受信部７０は、電動工具１０の無線送信部３０と同様に、受信ＣＨを、例えば、ＣＨ１〜ＣＨ７８の何れかに設定できるようになっており、メモリ６２には、メモリ２２と同様の周波数ＣＨマップが記憶されている。
【００８３】
そして、制御部６０は、集塵機５０を電動工具１０と連動させる通常モードであるとき、無線受信部７０の受信周波数を、メモリ６２に登録された送信ＣＨ（登録ＣＨ）に対応した周波数に設定し、特定の電動工具１０から送信された連動信号を受信する。
【００８４】
また、制御部６０は、無線受信部７０にて、特定の電動工具１０から送信された連動信号が受信されると、集塵モータ５２を駆動し、電動工具１０の運転により発生した粉塵や切削屑を吸引させる。
【００８５】
また、制御部６０は、無線受信部７０にて、電動工具１０の無線送信部３０から送信されたペアリング要求信号が受信されると、自身の動作モードを通常モードからペアリングモードに切り替え、ペアリング要求信号を送信してきた電動工具１０を連動対象機器として登録するペアリング処理を実行する。
【００８６】
そして、集塵機５０には、制御部６０がペアリング処理の結果（つまり、ペアリングの成功或いは失敗）を使用者に報知するためのブザー５６が設けられている。
また、ペアリング処理は、連動対象機器である電動工具１０（本実施形態では固有ＣＨ）を登録するための処理であるため、ペアリング要求信号を受信することにより、いつでも実施できるようにすると、連動対象機器ではない他の電動工具を誤登録することも考えられる。
【００８７】
このため、集塵機５０には、制御部６０において、電動工具１０を連動対象機器として登録するためのペアリング処理が実行されるのを禁止する、ペアリング禁止指令を入力するペアリング禁止ＳＷ７４も設けられている。
【００８８】
次に、電動工具１０及び集塵機５０の制御部２０、６０にて、集塵機５０を電動工具１０と連動して運転するために実行される連動信号送信処理及び連動制御処理について、図２に示すフローチャートに沿って説明する。
【００８９】
なお、図２に示す連動信号送信処理及び連動制御処理は、電動工具１０の制御部２０及び集塵機５０の制御部６０の動作モードが通常モードであるときに、制御部２０及び６０にて、それぞれ、繰り返し実行される処理である。
【００９０】
図２に示すように、電動工具１０の制御部２０にて実行される連動信号送信処理では、まず、Ｓ１１０（Ｓはステップを表す）にて、トリガＳＷ１８がオン状態であるか否かを判断することにより、トリガＳＷ１８がオン状態になるのを待つ。
【００９１】
トリガＳＷ１８がオン状態になると、制御部２０にて別途実行されるモータ制御処理にて工具モータ１４の駆動が開始され、集塵機５０を連動運転させる必要があるので、Ｓ１２０に移行して、送信禁止ＳＷ３６がオン状態であるか否かを判断する。
【００９２】
そして、送信禁止ＳＷ３６がオン状態であれば、集塵機５０への連動信号の送信が禁止されているので、当該連動信号送信処理を一旦終了する。なお、当該連動信号送信処理は、制御部２０の動作モードが通常モードであれば、一旦終了しても、所定の待機時間経過後に、再度実行される。
【００９３】
次に、Ｓ１２０にて、送信禁止ＳＷ３６はオフ状態であると判断されると、無線送信部３０からの連動信号の送信が許可されているので、Ｓ１３０に移行し、無線送信部３０から連動信号を送信させる。
【００９４】
なお、Ｓ１３０では、無線送信部３０からの送信周波数がメモリ２２に記憶された固有ＣＨに対応していない場合には、送信周波数切替部２４を介して、無線送信部３０の送信周波数を固有ＣＨに対応した周波数に設定する。このため、無線送信部３０からは、固有ＣＨで、連動信号が送信されることになる。
【００９５】
Ｓ１３０にて連動信号を送信させると、Ｓ１４０に移行して、トリガＳＷ１８がオフ状態になったか否かを判断する。そして、トリガＳＷ１８がオフ状態になっていなければ、再度Ｓ１３０に移行することで、連動信号の送信を継続する。
【００９６】
また、Ｓ１４０にて、トリガＳＷ１８がオフ状態になったと判断されると、工具モータ１４の駆動が停止されるので、Ｓ１５０に移行して、無線送信部３０からの連動信号の送信を停止させ、当該連動信号送信処理を一旦終了する。
【００９７】
次に、集塵機５０の制御部６０にて実行される連動制御処理では、まず、Ｓ２１０にて、無線受信部７０の受信周波数をメモリ６２に記憶されている登録ＣＨの周波数に設定した状態で、無線受信部７０にて連動信号が受信されたか否かを判断する。つまり、Ｓ２１０では、予めペアリングされている電動工具１０からの連動信号が無線受信部７０にて受信されるのを待つ。
【００９８】
そして、Ｓ２１０にて、連動信号が受信されたと判断されると、Ｓ２２０に移行して、集塵モータ５２を駆動し、続くＳ２３０にて、無線受信部７０にて連動信号が受信されなくなったか否かを判断する。
【００９９】
Ｓ２３０にて、無線受信部７０にて連動信号が受信されていると判断されると、Ｓ２２０に移行することで、集塵モータ５２の駆動を継続する。また、Ｓ２３０にて、無線受信部７０にて連動信号が受信されなくなったと判断されると、Ｓ２４０にて、集塵モータ５２の駆動を停止し、当該連動制御処理を一旦終了する。
【０１００】
なお、当該連動制御処理は、電動工具１０側で実行される連動信号送信処理と同様、制御部６０の動作モードが通常モードであれば、一旦終了しても、所定の待機時間経過後に、再度実行される。
【０１０１】
次に、電動工具１０及び集塵機５０の制御部２０、６０にて、電動工具１０と集塵機５０とをペアリングするために実行されるペアリング処理について、図３に示すフローチャートに沿って説明する。
【０１０２】
なお、これらのペアリング処理は、上述した連動信号送信処理及び連動制御処理と同様、制御部２０、６０の動作モードが通常モードであるときに実行される。また、集塵機５０の制御部６０は、ペアリング禁止ＳＷ７４がオン状態で、連動対象機器となる電動工具１０とのペアリング（詳しくは電動工具１０の登録若しくは登録変更）が禁止されているときには、ペアリング処理の実行を停止する。
【０１０３】
そして、各制御部２０、６０は、ペアリング処理実行中に、ペアリング要求が入力されると、制御部２０、６０の動作モードを通常モードからペアリングモードに切り替えることで、図２に示した連動信号送信処理若しくは連動制御処理を停止させ、ペアリングのための処理を開始する。
【０１０４】
図３に示すように、電動工具１０の制御部２０にて実行されるペアリング処理では、Ｓ３１０にて、ペアリング要求ＳＷ３４が操作されて、ペアリング要求が入力されたか否かを判断することにより、ペアリング要求が入力されるのを待つ。
【０１０５】
そして、Ｓ３１０にて、ペアリング要求が入力されたと判断されると、Ｓ３２０に移行して、制御部２０の動作モードをペアリングモードへ切り替え、Ｓ３３０に移行する。
なお、Ｓ３２０でのペアリングモードへの切り替えは、図２に示した連動信号送信処理の実行を停止し、送信出力切替部２６を介して無線送信部３０からの出力（送信電力）を通常モードよりも低下させることにより実行される。
【０１０６】
次に、Ｓ３３０では、無線送信部３０からの送信ＣＨが初期値であるＣＨ１となるよう、送信周波数切替部２４を介して無線送信部３０の送信周波数を初期設定する。そして、続くＳ３４０では、その設定された送信ＣＨにて、一定時間Ｔ１（例えば１０ｍｓ）、無線送信部３０からペアリング要求信号を送信させる。
【０１０７】
Ｓ３４０にて、ペアリング要求信号を一定時間Ｔ１送信させると、Ｓ３５０に移行して、メモリ２２に記憶されている全ＣＨ（例えばＣＨ１からＣＨ７８）にて、ペアリング要求信号の送信が完了したか否かを判断する。
【０１０８】
Ｓ３５０にて、ペアリング要求信号の送信は全ＣＨ分完了していないと判断されると、Ｓ３６０に移行して、送信ＣＨのＣＨ番号を値１だけカウントアップ（＋１）することで、送信ＣＨを更新し、Ｓ３４０に移行する。
【０１０９】
この結果、Ｓ３４０では、前回ペアリング要求信号を送信させた送信ＣＨに値１を加えたＣＨ番号に対応した送信周波数にて、無線送信部３０からペアリング要求信号を送信させることになる。
【０１１０】
このＳ３４０の処理は、Ｓ３５０にて全ＣＨ分のペアリング要求信号の送信が完了したと判断されるまで、繰り返し実行され、Ｓ３５０にて、全ＣＨ分のペアリング要求信号の送信が完了したと判断されると、Ｓ３７０に移行する。
【０１１１】
Ｓ３７０では、無線送信部３０から送信周波数が、メモリ２２に記憶された固有ＣＨに対応した周波数となるよう、送信周波数切替部２４を介して無線送信部３０の送信周波数を設定して、一定時間Ｔ２（例えば１秒間）、無線送信部３０からペアリング設定信号を送信させる。
【０１１２】
そして、続くＳ３８０では、制御部２０の動作モードを通常モードに切り替え、当該ペアリング処理を一旦終了する。なお、Ｓ３８０での通常モードへの切り替えは、送信出力切替部２６を介して無線送信部３０からの出力（送信電力）を元に戻し、図２に示した連動信号送信処理を開始させることにより実行される。
【０１１３】
次に、図３に示すように、集塵機５０の制御部６０にて実行されるペアリング処理では、まずＳ４１０にて、無線受信部７０の受信周波数をメモリ６２に記憶されている登録ＣＨの周波数に設定した状態で、無線受信部７０にてペアリング要求信号が受信されたか否かを判断する。つまり、Ｓ４１０では、電動工具１０から登録ＣＨにてペアリング要求信号が送信されてくるのを待つ。
【０１１４】
そして、Ｓ４１０にて、ペアリング要求信号が受信されたと判断されると、Ｓ４２０に移行して、制御部６０の動作モードをペアリングモードへ切り替え、Ｓ４３０に移行する。
【０１１５】
なお、Ｓ４２０でのペアリングモードへの切り替えは、図２に示した連動制御処理の実行を停止し、受信感度切替部６６を介して無線受信部７０の受信感度を通常モードよりも低下させることにより実行される。
【０１１６】
次に、Ｓ４３０では、電動工具１０からペアリング要求信号の次に送信されてくるペアリング設定信号の検索回数をカウントするための検索カウンタに、初期値（値０）を設定する。
【０１１７】
そして、続くＳ４４０では、Ｓ４１０にてペアリング要求信号を受信したと判断してから、電動工具１０から全ＣＨ分のペアリング要求信号が送信されるのに要する送信期間を求め、その送信期間が経過するのを待機する。
【０１１８】
なお、この送信期間は、電動工具１０からのペアリング要求信号１ＣＨ分の送信時間Ｔ１と、Ｓ４１０にてペアリング要求信号を受信したと判定してから、電動工具１０から送信されてくるペアリング要求信号の残ＣＨ数（＝全ＣＨ数−登録ＣＨ番号）とに基づき設定される。つまり、送信期間は「Ｔ１×残ＣＨ数」として設定される。
【０１１９】
Ｓ４４０による待機時間が、この送信期間に達すると、Ｓ４５０に移行して、無線受信部７０での受信ＣＨが初期値であるＣＨ１となるよう、受信周波数切替部６４を介して無線受信部７０の受信周波数を初期設定する。
【０１２０】
そして、続くＳ４６０では、無線受信部７０にてペアリング設定信号が受信されたか否かを判断し、ペアリング設定信号が受信されていなければ、Ｓ４９０に移行する。
また、Ｓ４６０にてペアリング設定信号が受信されたと判断されると、Ｓ４７０にて、検索カウンタをカウントアップ（＋１）し、続くＳ４８０にて、無線受信部７０での現在の受信ＣＨを記憶した後、Ｓ４９０に移行する。
【０１２１】
Ｓ４９０では、Ｓ４６０でのペアリング設定信号の受信判定を、メモリ６２に記憶されている全ＣＨ（例えばＣＨ１からＣＨ７８）分実行したか否かを判断する。
そして、Ｓ４９０にて、Ｓ４６０でのペアリング設定信号の受信判定を、全ＣＨ分実行していないと判断されると、Ｓ５００に移行して、無線受信部７０での受信ＣＨのＣＨ番号を値１だけカウントアップ（＋１）することで、受信ＣＨを更新し、Ｓ４６０に移行する。
【０１２２】
この結果、Ｓ４６０では、無線受信部７０でのペアリング設定信号の受信周波数を、ＣＨ１から最大ＣＨ（例えば、ＣＨ７８）へ順次変更させつつ、各受信ＣＨでペアリング設定信号が受信されたか否かが判断されることになる。
【０１２３】
次に、Ｓ４９０にて、ペアリング設定信号の受信判定が、全ＣＨ分実行されたと判断されると、Ｓ５１０に移行して、検索カウンタの値が「１」であるか否か、つまり、全ＣＨの内、特定の１ＣＨだけでペアリング設定信号が受信されたか否か、を判断する。
【０１２４】
そして、Ｓ５１０にて、検索カウンタの値が「１」であると判断されると、Ｓ４８０にて記憶した受信ＣＨ（記憶ＣＨ）が、連動対象機器となる電動工具１０からの連動信号の送信ＣＨであるとして、メモリ６２に記憶されている登録ＣＨを書き替える。
【０１２５】
また、続くＳ５３０では、ブザー５６を一定期間（例えば１秒間）鳴動させることで、電動工具１０とのペアリングを正常に実施できたこと（ペアリング成功）を報知し、Ｓ５５０に移行する。
【０１２６】
また、Ｓ５１０にて、検索カウンタの値が「１」ではないと判断された場合には、今回実施したＳ４６０〜Ｓ４９０の処理では、ペアリング設定信号を受信できていないか、或いは、複数の電動工具１０からのペアリング設定信号を受信しているので、Ｓ５４０に移行する。
【０１２７】
そして、Ｓ５４０では、ブザー５６を一定期間（例えば３秒間）の間、複数回オン・オフして、断続的に鳴動させることにより、電動工具１０とのペアリングを失敗したことを報知し、Ｓ５５０に移行する。
【０１２８】
Ｓ５５０では、制御部６０の動作モードを通常モードに切り替え、当該ペアリング処理を一旦終了する。なお、Ｓ５５０での通常モードへの切り替えは、受信感度切替部６６を介して無線送信部３０の受信感度を元に戻し、図２に示した連動制御処理を開始させることにより実行される。
【０１２９】
以上説明したように、本実施形態の連動運転システムにおいては、電動工具１０を集塵機５０へ登録して、集塵機５０を連動運転させる際には、使用者は、電動工具１０のペアリング要求ＳＷ３４を操作するだけでよい。
【０１３０】
つまり、ペアリング要求ＳＷ３４を操作すれば、制御部２０の動作モードが、ペアリングモードに切り替わり、無線送信部３０から集塵機５０に向けて、ペアリング要求信号及びペアリング設定信号を順次送信する。
【０１３１】
すると、集塵機５０側では、無線受信部７０を介して、そのペアリング要求信号が受信されて、制御部６０の動作モードがペアリングモードに切り替わり、その後、無線受信部７０にて受信されるペアリング設定信号に基づき、ペアリング設定信号を送信してきた無線送信部３０が、連動対象機器として登録される。
【０１３２】
従って、本実施形態の連動運転システムによれば、集塵機５０に連動対象機器となる電動工具１０を登録する際、使用者は、集塵機５０側の操作部を操作する必要がなく、極めて簡単に、電動工具１０の登録作業（つまりペアリング）を行うことができる。
【０１３３】
また、連動運転のために集塵機５０に登録される電動工具１０の情報は、電動工具１０が連動運転のために送信する連動信号の送信ＣＨ（換言すれば送信周波数）であり、従来のように、電動工具１０からの送信信号に含まれる識別情報を登録する必要がない。
【０１３４】
また、本実施形態では、集塵機５０に電動工具１０を登録したり、集塵機５０を電動工具１０と連動運転させるために、電動工具１０から集塵機５０に向けて一方向に無線信号を送信するだけでよく、電動工具１０と集塵機５０との間で双方向通信を行う必要がない。
【０１３５】
このため、本実施形態の連動運転システムによれば、電動工具１０と集塵機５０の間の通信を極めて簡単に行うことができるようになり、電動工具１０及び集塵機５０に設ける通信装置の構成も簡単にすることができる。
【０１３６】
また、電動工具１０の制御部２０、及び、集塵機５０の制御部６０は、ペアリング処理にて、動作モードをペアリングモードに切り替えた後、ペアリング要求信号及びペアリング設定信号を送受信するために設定された一定時間が経過すると、自動で通常モードに復帰する。
【０１３７】
このため、使用者は、これら各制御部２０、６０の動作モードを、ペアリングモードから通常モードに復帰させるために、電動工具１０若しくは集塵機５０に設けられた操作部を操作する必要がない。よって、本実施形態の連動運転システムによれば、電動工具１０及び集塵機５０の使い勝手を向上できる。
【０１３８】
また、電動工具１０には、送信禁止ＳＷ３６が設けられており、制御部２０は、送信禁止ＳＷ３６がオン状態であるときには、無線送信部３０からの連動信号の送信を禁止する。このため、使用者は、電動工具１０から集塵機５０への連動信号の送信を禁止することにより、電動工具１０を単独で使用することができるようになる。
【０１３９】
また、集塵機５０には、ペアリング禁止ＳＷ７４が設けられており、制御部２０は、ペアリング禁止ＳＷ７４がオン状態であるときには、ペアリング処理の実行を停止する。
このため、例えば、集塵機５０に電動工具１０を登録する必要がないときに、使用者は、ペアリング禁止ＳＷ７４を操作することで、制御部６０がペアリングモードに入って連動対象機器ではない電動工具１０が誤登録されるのを防止できる。
【０１４０】
また、電動工具１０の制御部２０は、ペアリングモードであるとき、無線送信部３０からの送信出力（送信電力）を、通常モードよりも低下させ、集塵機５０の制御部６０は、ペアリングモードであるとき、無線受信部７０の受信感度を、通常モードよりも低下させる。
【０１４１】
このため、電動工具１０から送信されたペアリング要求信号及びペアリング設定信号が受信されて、その電動工具１０が連動対象機器として登録されるのは、電動工具１０との距離が短く、良好な通信環境を確保しうる集塵機５０に制限されることになる。
【０１４２】
よって、本実施形態の連動運転システムによれば、電動工具１０が、連動させる必要のない集塵機５０に連動対象機器として誤登録される確率を低くすることができる。
また、集塵機５０には、報知用のブザー５６が設けられており、制御部６０がペアリングモードに入り、連動対象機器として電動工具１０を正常に登録できたか、或いは、その登録に失敗したか、を周囲に報知するようになっている。
【０１４３】
このため、電動工具１０の使用者は、ペアリング要求ＳＷ３４を操作した際に、所望の集塵機５０に電動工具１０を連動対象機器として正常に登録できたか否かを確認できるようになる。
【０１４４】
なお、本実施形態において、電動工具１０の制御部２０は、本発明の送信制御部に相当し、集塵機５０の制御部６０は、本発明の受信制御部に相当する。
［第２実施形態］
図４に示すように、本実施形態の連動運転システムは、第１実施形態の連動運転システムと略同様の構成をしており、構成上、第１実施形態と異なる点は、電動工具１０のメモリ２２及び集塵機５０のメモリ６２に予約済ＣＨが記憶されている点である。
【０１４５】
また、本実施形態の連動運転システムは、電動工具１０において、メモリ２２に記憶されている連動信号送信用の固有ＣＨを、外部操作によって変更できるようにされている。
ここで、予約済ＣＨは、電動工具１０と集塵機５０との間でペアリング要求信号を送受信するために予め設定された通信チャンネルである。
【０１４６】
そして、電動工具１０の制御部２０にて実行されるペアリング処理では、ペアリングモードへの移行後、Ｓ３３０〜Ｓ３５０の処理に代えて、Ｓ３４５の処理を実行することで、無線送信部３０から、予約済ＣＨの送信周波数にて、一定時間Ｔ１、ペアリング要求信号を送信させる。
【０１４７】
また、集塵機５０の制御部６０にて実行されるペアリング処理では、Ｓ４１０に代えて、Ｓ４１２の処理を実行することで、無線受信部７０の受信ＣＨを予約済ＣＨに設定し、その予約済ＣＨにてペアリング要求信号が受信されたか否かを判断する。そして、ペアリング要求信号が受信されると、第１実施形態と同様、Ｓ４２０以降の処理を実行する。
【０１４８】
このように、本実施形態では、ペアリング要求信号を送受信するための通信ＣＨを予め設定しておき、その通信ＣＨを予約済ＣＨとしてメモリ２２、６２に記憶しておくことで、電動工具１０と集塵機５０との間で、ペアリング要求信号を、予約済ＣＨを利用して送受信する。
【０１４９】
このため、本実施形態の連動運転システムによれば、集塵機５０の制御部６０をペアリングモードに切り替えるために、電動工具１０から、全ＣＨを利用して、ペアリング要求信号を送信させる必要がなく、そのための通信時間を短くすることができる。
【０１５０】
よって、本実施形態の連動運転システムによれば、第１実施形態の連動運転システムよりも短時間で、電動工具１０と集塵機５０とをペアリングさせることができる。
また、電動工具１０において、制御部２０は、動作モードが通常モードであるとき、連動信号送信処理やペアリング処理とは別に、図５に示す固有ＣＨ番号変更処理を実行する。
【０１５１】
この固有ＣＨ番号変更処理においては、Ｓ３９０にて、ペアリング要求ＳＷ３４が一定時間以上押下されか否か（つまり、長押しされたか否か）によって、固有ＣＨ変更要求が入力されたか否かを判断することにより、固有ＣＨ変更要求が入力されるのを待つ。
【０１５２】
そして、Ｓ３９０にて、固有ＣＨ変更要求が入力されたと判断されると、Ｓ３９５に移行して、メモリ２２に記憶されている固有ＣＨを、現在のＣＨ番号とは異なる値に変更し、固有ＣＨ番号変更処理を一旦終了する。
【０１５３】
つまり、本実施形態では、電動工具１０からの連動信号の送信ＣＨが、メモリ６２に登録されている登録ＣＨであれば、集塵機５０は、その連動信号に従い集塵モータ５２を駆動する。
【０１５４】
このため、例えば、集塵機５０の近傍に同一の固有ＣＨが設定された電動工具１０が存在している場合、集塵機５０は、各電動工具１０から送信される連動信号によって動作してしまう。
【０１５５】
しかし、電動工具１０において、制御部２０が、上述した固有ＣＨ番号変更処理を実行するようにすれば、正規の電動工具１０の使用者は、例えば、ペアリング要求ＳＷ３４を長押しすることによって、電動工具１０の固有ＣＨを変更させることができる。
【０１５６】
また、固有ＣＨの変更後は、ペアリング要求ＳＷ３４を操作（短押し）することで、ペアリング要求を入力すれば、変更後の固有ＣＨを、電動工具１０に再登録させることができる。
【０１５７】
よって、本実施形態の連動運転システムによれば、電動工具１０と集塵機５０とを１対１で対応させることができるようになり、集塵機５０が複数の電動工具１０からの連動信号にて動作するのを防止できる。
［参考例］
ここで、本発明では、集塵機５０を操作することなく、電動工具１０を連動対象機器として集塵機５０に登録できるようにしている。
【０１５８】
これに対し、図６に示すように、集塵機５０にペアリング要求ＳＷ７６を設けて、このペアリング要求ＳＷ７６が操作されたときに、制御部６０がペアリングモードに移行するようにしてもよい。
【０１５９】
この場合、集塵機５０へ電動工具１０を登録する際には、集塵機５０のペアリング要求ＳＷ７６を操作する必要がある。
しかし、ペアリングのために電動工具１０から集塵機５０に送信されるペアリング設定信号の送信ＣＨをメモリ６２に記憶するようにすることで、上記実施形態と同様に、電動工具１０と集塵機５０との間の無線通信を極めて簡単に実施させることができる。
【０１６０】
なお、この場合、集塵機５０の制御部６０にて実行されるペアリング処理においては、図３に示した第１実施形態のペアリング処理におけるＳ４１０の処理を、図７に示すＳ４１４の処理に変更して、ペアリング要求ＳＷ７６が操作されたか否かを判断するようにすればよい。つまり、Ｓ４１４にて、ペアリング要求ＳＷ７６が操作されたと判断されたときに、Ｓ４２０以降の処理を実行するようにすればよい。
【０１６１】
また、電動工具１０の制御部２０にて実行されるペアリング処理では、ペアリング要求信号の送信が不要であることから、Ｓ３２０にて、ペアリングモードへ移行した後は、Ｓ３７０にて、一定時間Ｔ２の間、ペアリング設定信号を送信し、その後Ｓ３８０にて、通常モードへ復帰するようにすればよい。
【０１６２】
また、この場合、電動工具１０には、必ずしもペアリング要求ＳＷ３４を設ける必要はない。
例えば、電動工具１０の制御部２０にて実行されるペアリング処理において、Ｓ３１０では、トリガＳＷ１８がオン状態からオフ状態になったとき（つまり、工具モータ１４の駆動が停止されたとき）に、ペアリング要求の操作がなされたと判断して、Ｓ３２０に移行するようにする。
【０１６３】
このようにすれば、ペアリング要求ＳＷ３４を設けることなく、制御部２０をペアリングモードに移行させることができる。
以上、本発明の実施形態及び参考例について説明したが、本発明は、上記実施形態に限定されるものではなく、本発明の要旨を逸脱しない範囲内にて、種々の態様をとることができる。
【０１６４】
例えば、上記実施形態では、電動工具１０と集塵機５０との間の無線通信は、電動工具１０から集塵機５０への一方向であるものとして説明したが、例えば、電動工具１０を集塵機５０に登録する際には、双方向通信を行うようにしてもよい。
【０１６５】
また、集塵機５０に登録する電動工具１０の情報は、電動工具１０が連動信号を送信するのに用いる通信ＣＨであるものとして説明したが、電動工具１０に付与されている固有の識別情報（例えば、製造番号、通信用ＩＤ等）であってもよい。
【０１６６】
但し、この場合、電動工具１０から集塵機５０への送信信号にその識別情報を含める必要はある。
また、上記実施形態の説明では、集塵機５０には、電動工具１０の情報（送信ＣＨ）を一つ登録することで、集塵機５０を一つの電動工具１０に対応させるものとした。しかし、例えば、集塵機５０のメモリ６２には、連動対象機器となる複数の電動工具１０の情報（送信ＣＨ等）を登録して、その登録された電動工具１０から連動信号を受けた際には、連動運転するようにしてもよい。
【０１６７】
また次に、上記実施形態の連動運転システムでは、電動工具１０は、充電可能なバッテリを備えた充電式工具であるものとして説明したが、本発明は、電動工具が商用電源を受けて動作する連動運転システムであっても、適用することができる。
【０１６８】
そして、このようにすれば、集塵機から電動工具に駆動電流を供給する必要がないので、集塵機単体で消費可能な電力を増大でき、延いては、集塵機の能力を向上することが可能となる。
【０１６９】
つまり、例えば、電動工具が、商用電源を受けて動作する電動工具（一般にＡＣ工具）である場合、従来では、集塵機に、電動工具に商用電源を供給するためのコンセントが設けられる。そして、集塵機側の制御回路が、そのコンセントから電動工具に流れる電流から電動工具の動作を検出して、集塵モータを駆動することで、集塵機を電動工具と連動運転させる。
【０１７０】
従って、この場合、商用電源から集塵機には、電源コードを介して、集塵機と電動工具とを同時に動作させるための電流を供給する必要があり、そのためには、その供給電流を商用電源の定格電流以下に抑えなければならない。
【０１７１】
このため、従来、集塵機で集塵モータを駆動するのに消費される電流は、電動工具での消費電流を考慮して、商用電源の定格電流よりも充分低くしなければならず、集塵機の集塵能力を制限する必要があった。
【０１７２】
しかし、この種の連動運転システムに本発明を適用すれば、集塵機側で電動工具の消費電流を検出する必要がないので、集塵機及び電動工具には商用電源から個々に電源供給することができるようになり、延いては、集塵機の能力を向上することが可能となる。
【符号の説明】
【０１７３】
１０…電動工具、１２…バッテリパック、１４…工具モータ、１６…駆動部、１８…トリガＳＷ、２０…制御部、２２…メモリ、２４…送信周波数切替部、２６…送信出力切替部、３０…無線送信部、３２…アンテナ、３４…ペアリング要求ＳＷ、３６…送信禁止ＳＷ、５０…集塵機、５２…集塵モータ、５４…電源部、５６…ブザー、６０…制御部、６２…メモリ、６４…受信周波数切替部、６６…受信感度切替部、７０…無線受信部、７２…アンテナ、７４…ペアリング禁止ＳＷ、７６…ペアリング要求ＳＷ。
【図１】
0006408371.tif 000002
【図２】
0006408371.tif 000003
【図３】
0006408371.tif 000004
【図４】
0006408371.tif 000005
【図５】
0006408371.tif 000006
【図６】
0006408371.tif 000007
【図７】
0006408371.tif 000008